(57)【要約】【課題】簡単に、設定対象への設定を行うことができるようにする。【解決手段】参照装置１１は、各種の動作を行うための設定に関係する対象情報の参照が指示された場合、参照対象装置１３から対象情報を取得して、正当であると認証された情報移転装置１２に送信する。情報移転装置１２は、参照装置１１から送信される対象情報を受信し、記憶する。被設定装置１４は、情報移転装置１２の認証に関係する情報が入力され、対象情報の設定が指示された場合、正当であると認証された情報移転装置１２から送信される対象情報を受信し、その対象情報を設定対象装置１５に設定することで、簡単に、設定対象への設定を行うことができるようになる。本発明は、情報転送システムに適用できる。【選択図】図１
2007226734.tif 000002
【特許請求の範囲】
【請求項１】
第１の情報処理装置および第２の情報処理装置と、前記第１の情報処理装置と組み合わせて使用される携帯型の電子機器とが相互に無線通信する情報処理システムにおいて、
前記第１の情報処理装置は、
各種の動作を行うための設定に関係する第１の情報の参照が指示された場合、通信可能な状態にある前記電子機器が正当であるか否かを認証する第１の認証手段と、
前記電子機器が正当であると認証された場合、前記第１の情報を取得する取得手段と、
取得した前記第１の情報を前記電子機器に送信する第１の送信手段と
を備え、
前記電子機器は、
前記第１の情報処理装置から送信されてくる前記第１の情報を受信する第１の受信手段と、
受信した前記第１の情報を記憶する記憶手段と
を備え、
前記第２の情報処理装置は、
前記電子機器の認証に関係する第２の情報を入力する入力手段と、
前記第１の情報の設定が指示された場合、入力した前記第２の情報に基づいて、通信可能な状態にある前記電子機器が正当であるか否かを認証する第２の認証手段と
を備え、
前記電子機器は、
前記第２の情報処理装置から正当であると認証された場合、記憶している前記第１の情報を前記第２の情報処理装置に送信する第２の送信手段を備え、
前記第２の情報処理装置は、
前記電子機器から送信されてくる前記第１の情報を受信する第２の受信手段と、
受信した前記第１の情報に基づいて、各種の動作を行うための設定をする設定手段と
を備える情報処理システム。
【請求項２】
情報処理装置と組み合わせて使用され、前記情報処理装置と相互に無線通信を行う携帯型の電子機器において、
通信可能な状態にある前記情報処理装置から正当であると認証された場合、前記情報処理装置から送信されてくる、各種の動作を行うための設定に関係する第１の情報を受信する受信手段と、
受信した前記第１の情報を記憶する記憶手段と、
通信可能な状態にある他の情報処理装置から正当であると認証された場合、記憶している前記第１の情報を前記他の情報処理装置に送信する送信手段と
を備える電子機器。
【請求項３】
前記第１の情報は、前記情報処理装置または外部の装置が各種の動作を行うために設定されている情報である
請求項２の電子機器。
【請求項４】
前記第１の情報は、前記他の情報処理装置または外部の装置が各種の動作を行うために設定される情報である
請求項３の電子機器。
【請求項５】
情報処理装置と組み合わせて使用され、前記情報処理装置と相互に無線通信を行う携帯型の電子機器の情報処理方法において、
通信可能な状態にある前記情報処理装置から正当であると認証された場合、前記情報処理装置から送信されてくる、各種の動作を行うための設定に関係する第１の情報の受信を制御する受信制御ステップと、
受信した前記第１の情報を記憶する記憶ステップと、
通信可能な状態にある他の情報処理装置から正当であると認証された場合、記憶している前記第１の情報の前記他の情報処理装置への送信を制御する送信制御ステップと
を含む情報処理方法。
【請求項６】
情報処理装置と組み合わせて使用され、前記情報処理装置と相互に無線通信を行う携帯型の電子機器のコンピュータに、情報処理を行わせるプログラムにおいて、
通信可能な状態にある前記情報処理装置から正当であると認証された場合、前記情報処理装置から送信されてくる、各種の動作を行うための設定に関係する第１の情報の受信を制御する受信制御ステップと、
受信した前記第１の情報を記憶する記憶ステップと、
通信可能な状態にある他の情報処理装置から正当であると認証された場合、記憶している前記第１の情報の前記他の情報処理装置への送信を制御する送信制御ステップと
を含むプログラム。
【請求項７】
携帯型の電子機器と組み合わせて使用され、前記電子機器と相互に無線通信を行う情報処理装置において、
各種の動作を行うための設定に関係する情報の参照を指示された場合、通信可能な状態にある前記電子機器が正当であるか否かを認証する認証手段と、
前記電子機器が正当であると認証された場合、前記情報を取得する取得手段と、
取得した前記情報を前記電子機器に送信する送信手段と
を備える情報処理装置。
【請求項８】
前記情報は、自分または外部の装置が各種の動作を行うために設定されている情報である
請求項７の情報処理装置。
【請求項９】
携帯型の電子機器と組み合わせて使用され、前記電子機器と相互に無線通信を行う情報処理装置の情報処理方法において、
各種の動作を行うための設定に関係する情報の参照を指示された場合、通信可能な状態にある前記電子機器が正当であるか否かを認証する認証ステップと、
前記電子機器が正当であると認証された場合、前記情報を取得する取得ステップと、
取得した前記情報の前記電子機器への送信を制御する送信制御ステップと
を含む情報処理方法。
【請求項１０】
携帯型の電子機器と組み合わせて使用され、前記電子機器と相互に無線通信を行う情報処理装置のコンピュータに、情報処理を行わせるプログラムにおいて、
各種の動作を行うための設定に関係する情報の参照を指示された場合、通信可能な状態にある前記電子機器が正当であるか否かを認証する認証ステップと、
前記電子機器が正当であると認証された場合、前記情報を取得する取得ステップと、
取得した前記情報の前記電子機器への送信を制御する送信制御ステップと
を含むプログラム。
【請求項１１】
携帯型の電子機器と相互に無線通信を行う情報処理装置において、
前記電子機器の認証に関係する第１の情報を入力する入力手段と、
各種の動作を行うための設定に関係する第２の情報の設定が指示された場合、入力した前記第１の情報に基づいて、通信可能な状態にある前記電子機器が正当であるか否かを認証する認証手段と、
前記電子機器が正当であると認証された場合、前記電子機器から送信されてくる前記第２の情報を受信する受信手段と、
受信した前記第２の情報に基づいて、各種の動作を行うための設定をする設定手段と
を備える情報処理装置。
【請求項１２】
前記第２の情報は、他の情報処理装置または外部の装置が各種の動作を行うために設定されている情報である
請求項１１の情報処理装置。
【請求項１３】
前記第２の情報は、自分または外部の装置が各種の動作を行うために設定される情報である
請求項１２の情報処理装置。
【請求項１４】
携帯型の電子機器と相互に無線通信を行う情報処理装置の情報処理方法において、
前記電子機器の認証に関係する第１の情報を入力する入力ステップと、
各種の動作を行うための設定に関係する第２の情報の設定が指示された場合、入力した前記第１の情報に基づいて、通信可能な状態にある前記電子機器が正当であるか否かを認証する認証ステップと、
前記電子機器が正当であると認証された場合、前記電子機器から送信されてくる前記第２の情報の受信を制御する受信制御ステップと、
受信した前記第２の情報に基づいて、各種の動作を行うための設定をする設定ステップと
を含む情報処理方法。
【請求項１５】
携帯型の電子機器と相互に無線通信を行う情報処理装置のコンピュータに、情報処理を行わせるプログラムにおいて、
前記電子機器の認証に関係する第１の情報を入力する入力ステップと、
各種の動作を行うための設定に関係する第２の情報の設定が指示された場合、入力した前記第１の情報に基づいて、通信可能な状態にある前記電子機器が正当であるか否かを認証する認証ステップと、
前記電子機器が正当であると認証された場合、前記電子機器から送信されてくる前記第２の情報の受信を制御する受信制御ステップと、
受信した前記第２の情報に基づいて、各種の動作を行うための設定をする設定ステップと
を含むプログラム。
【発明の詳細な説明】
【技術分野】
【０００１】
本発明は、情報処理システム、電子機器および方法、情報処理装置および方法、並びにプログラムに関し、特に、簡単に、設定対象への設定をすることができるようにした情報処理システム、電子機器および方法、情報処理装置および方法、並びにプログラムに関する。
【背景技術】
【０００２】
最近の車両では、例えば、オートマチックトランスミッション、電動パワーステアリング（EPS（Electric Power Steering））、ドライビングポジション、エアコン、カーナビゲーションシステム、オーディオなどの設定を、利用者の要望に応じて個別に設定することが可能となっている。
【０００３】
これらの設定においては、例えば、あらかじめ利用者ごとに異なる設定をしておき、RFID（Radio Frequency Identification）などを用いた認証、または指紋や顔画像などによる生体認証を用いた認証などにより特定の個人を認証することで、ある利用者の設定に応じて、オートマチックトランスミッションなどの設定を切り替えることができる。
【０００４】
本出願人は、車両に対して、キーレス操作を行うことにより、異常を確認する方法を先に提案している（例えば、特許文献１）。
【０００５】
また、ナビゲーションシステムの経路情報や、車両の整備関連情報をリモートユニットのメモリを介して読み書きする方法が提案されている（例えば、特許文献２）。さらに、車のディーラにおいて、オーナーからの設定依頼に応じて、携帯電話機を用いた無線通信により、車両が備えているオプション機能を、車両の電子制御装置に対して設定する方法も提案されている（例えば、特許文献３）。さらにまた、通信端末から送信される操作情報に基づいて、サーバを経由して家電機器を操作する方法も提案されている（例えば、特許文献４）。
【０００６】
【特許文献１】特開２００１−７３６０４号公報
【特許文献２】特開２００１−１１５７０１号公報
【特許文献３】特開２００２−５２９９２号公報
【特許文献４】特開２００３−２９６２０７号公報
【発明の開示】
【発明が解決しようとする課題】
【０００７】
しかしながら、設定する項目が多数ある場合、利用者にとっては、設定対象への設定操作が複雑で困難であるという課題があった。
【０００８】
例えば、オートマチックトランスミッション、電動パワーステアリング、ドライビングポジション、エアコン、カーナビゲーションシステム、オーディオなどの車両が備えている各種の機能を設定する場合、車両を購入して間もない利用者には、設定すべき項目が多数あるために、それらを使いこなすことができない可能性があった。具体的には、利用者は、設定を行う場合、それらの各種の機能ごとに、マニュアルを参照しながら設定を行うことになるが、個々の設定が10分程度で完了したとしても、複数の機能について設定を行うために、トータルでは1時間以上かかってしまう場合も考えられる。
【０００９】
特開２００１−７３６０４号公報、特開２００１−１１５７０１号公報、特開２００２−５２９９２号公報、および特開２００３−２９６２０７号公報による提案は、車両などの対象となる装置に対して設定を行うことができるが、第三者によってそれらの設定を行われてしまう可能性があった。また、ネットワーク経由での設定を可能にすると、ハッカーなどに手順を解析されて不正に利用されたり、サーバに侵入されてデータが不正に改ざんされる可能性もある。特に、車両の設定の変更は、運転時の安全にかかわるものなので、その設定を、運転者以外には行えないようにする必要がある。
【００１０】
本発明はこのような状況に鑑みてなされたものであり、簡単に、設定対象への設定を行うことができるようにするものである。
【課題を解決するための手段】
【００１１】
本発明の第１の側面の情報処理システムは、第１の情報処理装置および第２の情報処理装置と、第１の情報処理装置と組み合わせて使用される携帯型の電子機器とが相互に無線通信する情報処理システムにおいて、第１の情報処理装置が、各種の動作を行うための設定に関係する第１の情報の参照が指示された場合、通信可能な状態にある電子機器が正当であるか否かを認証する第１の認証手段と、電子機器が正当であると認証された場合、第１の情報を取得する取得手段と、取得した第１の情報を電子機器に送信する第１の送信手段とを備え、電子機器が、第１の情報処理装置から送信されてくる第１の情報を受信する第１の受信手段と、受信した第１の情報を記憶する記憶手段とを備え、第２の情報処理装置が、電子機器の認証に関係する第２の情報を入力する入力手段と、第１の情報の設定が指示された場合、入力した第２の情報に基づいて、通信可能な状態にある電子機器が正当であるか否かを認証する第２の認証手段とを備え、電子機器が、第２の情報処理装置から正当であると認証された場合、記憶している第１の情報を第２の情報処理装置に送信する第２の送信手段を備え、第２の情報処理装置が、電子機器から送信されてくる第１の情報を受信する第２の受信手段と、受信した第１の情報に基づいて、各種の動作を行うための設定をする設定手段とを備える。
【００１２】
本発明の第１の側面の情報処理システムにおいては、第１の情報処理装置では、各種の動作を行うための設定に関係する第１の情報の参照が指示された場合、通信可能な状態にある電子機器が正当であるか否かが認証され、電子機器が正当であると認証された場合、第１の情報が取得され、取得された第１の情報が電子機器に送信され、電子機器では、第１の情報処理装置から送信されてくる第１の情報が受信され、受信された第１の情報が記憶され、第２の情報処理装置では、電子機器の認証に関係する第２の情報が入力され、第１の情報の設定が指示された場合、入力された第２の情報に基づいて、通信可能な状態にある電子機器が正当であるか否かが認証され、電子機器では、第２の情報処理装置から正当であると認証された場合、記憶している第１の情報が第２の情報処理装置に送信され、第２の情報処理装置では、電子機器から送信されてくる第１の情報が受信され、受信された第１の情報に基づいて、各種の動作を行うための設定がされる。
【００１３】
したがって、設定対象への設定を行うことができる。特に、簡単、かつ、安全に、車両に対して、様々な個別設定を行うことができるようになる。
【００１４】
第１の情報処理装置は、例えば、参照対象装置から対象情報を取得する参照装置として構成される。
【００１５】
第１の認証手段は、例えば、CPU（Central Processing Unit）などによって実行されるプログラムに含まれる認証制御部により構成される。認証制御部は、各種の動作を行うための設定に関係する第１の情報の参照が指示された場合、通信可能な状態にある電子機器が正当であるか否かを認証する。
【００１６】
取得手段は、例えば、CPUなどによって実行されるプログラムに含まれる対象制御部により構成される。対象制御部は、電子機器が正当であると認証された場合、第１の情報を取得する。
【００１７】
したがって、正当な電子機器と通信可能になった場合、対象情報を取得するので、より安全に第１の情報を送信することが可能となる。
【００１８】
第１の送信手段は、取得した第１の情報を電子機器に送信する。
【００１９】
したがって、各種の動作を行うための設定に関係する対象情報を、情報移転装置に送信することが可能となる。例えば、ある車両の個別設定を送信することで、他の車両に対して、様々な個別設定を行うことが可能となる。
【００２０】
電子機器は、例えば、参照装置から送信されてくる対象情報を、被設定装置に転送する情報移転装置として構成される。
【００２１】
第１の受信手段は、例えば、CPUなどによって実行されるプログラムに含まれる通信部により構成される。通信部は、第１の情報処理装置から送信されてくる第１の情報を受信する。
【００２２】
記憶手段は、例えば、不揮発性の半導体メモリやハードディスクなどで構成される対象情報記憶部により構成される。対象情報記憶部は、受信した第１の情報を記憶する。
【００２３】
したがって、参照装置から送信されてくる対象情報を受信して、記憶することが可能となる。
【００２４】
第２の送信手段は、例えば、CPUなどによって実行されるプログラムに含まれる通信部により構成される。通信部は、第２の情報処理装置から正当であると認証された場合、記憶している第１の情報を第２の情報処理装置に送信する。
【００２５】
したがって、記憶している、参照装置から受信した対象情報を、被設定装置に転送することが可能となる。
【００２６】
第２の情報処理装置は、例えば、対象情報を設定対象装置に設定する被設定装置として構成される。
【００２７】
入力手段は、例えば、CPUなどによって実行されるプログラムに含まれる入力部により構成される。入力部は、電子機器の認証に関係する第２の情報を入力する。
【００２８】
したがって、参照装置と情報移転装置とは組み合わせて使用されるが、情報移転装置の認証に関係する認証情報が入力されるので、被設定装置でも、情報移転装置を正当な機器であると認証することが可能となる。
【００２９】
第２の認証手段は、例えば、CPUなどによって実行されるプログラムに含まれる認証制御部により構成される。認証制御部は、第１の情報の設定が指示された場合、入力した第２の情報に基づいて、通信可能な状態にある電子機器が正当であるか否かを認証する。
【００３０】
第２の受信手段は、例えば、CPUなどによって実行されるプログラムに含まれている通信部により構成される。通信部は、電子機器から送信されてくる第１の情報を受信する。
【００３１】
したがって、正当な情報移転装置と通信可能になった場合、対象情報を受信するので、より安全に対象情報を受信することが可能となる。
【００３２】
設定手段は、例えば、CPUなどによって実行されるプログラムに含まれている対象制御部により構成される。対象制御部は、受信した第１の情報に基づいて、各種の動作を行うための設定をする。
【００３３】
したがって、情報移転装置から送信されてくる、各種の動作を行うための設定に関係する対象情報を、設定対象装置に設定することが可能となる。例えば、ある車両の個別設定を受信し、その個別設定を他の車両に設定することで、簡単に、様々な個別設定を行うことが可能となる。
【００３４】
本発明の第２の側面の電子機器は、情報処理装置と組み合わせて使用され、情報処理装置と相互に無線通信を行う携帯型の電子機器において、通信可能な状態にある情報処理装置から正当であると認証された場合、情報処理装置から送信されてくる、各種の動作を行うための設定に関係する第１の情報を受信する受信手段と、受信した第１の情報を記憶する記憶手段と、通信可能な状態にある他の情報処理装置から正当であると認証された場合、記憶している第１の情報を他の情報処理装置に送信する送信手段とを備える。
【００３５】
本発明の第２の側面の電子機器においては、通信可能な状態にある情報処理装置から正当であると認証された場合、情報処理装置から送信されてくる、各種の動作を行うための設定に関係する第１の情報が受信され、受信された第１の情報が記憶され、通信可能な状態にある他の情報処理装置から正当であると認証された場合、記憶している第１の情報が他の情報処理装置に送信される。
【００３６】
したがって、簡単に、設定対象への設定を行うことができる。特に、ある車両の個別設定を記憶し、その個別設定を他の車両に送信することで、簡単に、様々な個別設定を行うことができるようになる。
【００３７】
電子機器は、例えば、参照装置から送信されてくる対象情報を、被設定装置に転送する情報移転装置として構成される。
【００３８】
受信手段は、例えば、CPUなどによって実行されるプログラムに含まれる通信部により構成される。通信部は、情報処理装置から送信されてくる第１の情報を受信する。
【００３９】
記憶手段は、例えば、不揮発性の半導体メモリやハードディスクなどで構成される対象情報記憶部により構成される。対象情報記憶部は、受信した第１の情報を記憶する。
【００４０】
したがって、参照装置から送信されてくる対象情報を受信して、記憶することが可能となる。
【００４１】
送信手段は、例えば、CPUなどによって実行されるプログラムに含まれる通信部により構成される。通信部は、他の情報処理装置から正当であると認証された場合、記憶している第１の情報を他の情報処理装置に送信する。
【００４２】
したがって、記憶している、参照装置から受信した対象情報を、被設定装置に転送することが可能となる。
【００４３】
第１の情報は、情報処理装置または外部の装置が各種の動作を行うために設定されている情報であるようにすることが可能となる。
【００４４】
また、第１の情報は、他の情報処理装置または外部の装置が各種の動作を行うために設定される情報であるようにすることが可能となる。
【００４５】
したがって、参照装置または参照対象装置に設定されている対象情報を、被設定装置または設定対象装置に設定することができる。
【００４６】
本発明の第２の側面の情報処理方法は、情報処理装置と組み合わせて使用され、情報処理装置と相互に無線通信を行う携帯型の電子機器の情報処理方法において、通信可能な状態にある情報処理装置から正当であると認証された場合、情報処理装置から送信されてくる、各種の動作を行うための設定に関係する第１の情報の受信を制御する受信制御ステップと、受信した第１の情報を記憶する記憶ステップと、通信可能な状態にある他の情報処理装置から正当であると認証された場合、記憶している第１の情報の他の情報処理装置への送信を制御する送信制御ステップとを含む。
【００４７】
本発明の第２の側面の情報処理方法においては、通信可能な状態にある情報処理装置から正当であると認証された場合、情報処理装置から送信されてくる、各種の動作を行うための設定に関係する第１の情報が受信され、受信された第１の情報が記憶され、通信可能な状態にある他の情報処理装置から正当であると認証された場合、記憶している第１の情報が他の情報処理装置に送信される。
【００４８】
したがって、簡単に、設定対象への設定を行うことができる。特に、ある車両の個別設定を記憶し、その個別設定を他の車両に送信することで、簡単に、様々な個別設定を行うことができるようになる。
【００４９】
この受信制御ステップは、例えば、通信可能な状態にある情報処理装置から正当であると認証された場合、情報処理装置から送信されてくる、各種の動作を行うための設定に関係する第１の情報の受信を制御する受信制御ステップにより構成され、記憶ステップは、受信した第１の情報を記憶する記憶ステップにより構成され、送信制御ステップは、通信可能な状態にある他の情報処理装置から正当であると認証された場合、記憶している第１の情報の他の情報処理装置への送信を制御する送信制御ステップにより構成される。
【００５０】
本発明の第２の側面のプログラムは、情報処理装置と組み合わせて使用され、情報処理装置と相互に無線通信を行う携帯型の電子機器のコンピュータに、情報処理を行わせるプログラムにおいて、通信可能な状態にある情報処理装置から正当であると認証された場合、情報処理装置から送信されてくる、各種の動作を行うための設定に関係する第１の情報の受信を制御する受信制御ステップと、受信した第１の情報を記憶する記憶ステップと、通信可能な状態にある他の情報処理装置から正当であると認証された場合、記憶している第１の情報の他の情報処理装置への送信を制御する送信制御ステップとを含む。
【００５１】
本発明の第３の側面の情報処理装置は、携帯型の電子機器と組み合わせて使用され、電子機器と相互に無線通信を行う情報処理装置において、各種の動作を行うための設定に関係する情報の参照を指示された場合、通信可能な状態にある電子機器が正当であるか否かを認証する認証手段と、電子機器が正当であると認証された場合、情報を取得する取得手段と、取得した情報を電子機器に送信する送信手段とを備える。
【００５２】
本発明の第３の側面の情報処理装置においては、各種の動作を行うための設定に関係する情報の参照を指示された場合、通信可能な状態にある電子機器が正当であるか否かが認証され、電子機器が正当であると認証された場合、情報が取得され、取得された情報が電子機器に送信される。
【００５３】
したがって、簡単に、設定対象への設定を行うことができる。特に、ある車両の個別設定を送信することで、他の車両に対して、様々な個別設定を行うことができるようになる。
【００５４】
情報処理装置は、例えば、参照対象装置から対象情報を取得する参照装置として構成される。
【００５５】
認証手段は、例えば、CPUなどによって実行されるプログラムに含まれる認証制御部により構成される。認証制御部は、各種の動作を行うための設定に関係する第１の情報の参照が指示された場合、通信可能な状態にある電子機器が正当であるか否かを認証する。
【００５６】
取得手段は、例えば、CPUなどによって実行されるプログラムに含まれる対象制御部により構成される。対象制御部は、電子機器が正当であると認証された場合、第１の情報を取得する。
【００５７】
したがって、正当な情報移転装置と通信可能になった場合、対象情報を取得するので、より安全に対象情報を送信することが可能となる。
【００５８】
送信手段は、取得した第１の情報を電子機器に送信する。
【００５９】
したがって、各種の動作を行うための設定に関係する対象情報を、情報移転装置に送信することが可能となる。例えば、ある車両の個別設定を送信することで、他の車両に対して、様々な個別設定を行うことが可能となる。
【００６０】
情報は、自分または外部の装置が各種の動作を行うために設定されている情報であるようにすることができる。
【００６１】
したがって、参照装置または参照対象装置に設定されている対象情報を、情報移転装置に送信することができる。
【００６２】
本発明の第３の側面の情報処理方法は、携帯型の電子機器と組み合わせて使用され、電子機器と相互に無線通信を行う情報処理装置の情報処理方法において、各種の動作を行うための設定に関係する情報の参照を指示された場合、通信可能な状態にある電子機器が正当であるか否かを認証する認証ステップと、電子機器が正当であると認証された場合、情報を取得する取得ステップと、取得した情報の電子機器への送信を制御する送信制御ステップとを含む。
【００６３】
本発明の第３の側面の情報処理方法においては、各種の動作を行うための設定に関係する情報の参照を指示された場合、通信可能な状態にある電子機器が正当であるか否かが認証され、電子機器が正当であると認証された場合、情報が取得され、取得された情報の電子機器への送信される。
【００６４】
したがって、簡単に、設定対象への設定を行うことができる。特に、ある車両の個別設定を送信することで、他の車両に対して、様々な個別設定を行うことができるようになる。
【００６５】
この認証ステップは、各種の動作を行うための設定に関係する情報の参照を指示された場合、通信可能な状態にある電子機器が正当であるか否かを認証する認証ステップにより構成され、取得ステップは、電子機器が正当であると認証された場合、情報を取得する取得ステップにより構成され、送信制御ステップは、取得した情報の電子機器への送信を制御する送信制御ステップにより構成される。
【００６６】
本発明の第３の側面のプログラムは、携帯型の電子機器と組み合わせて使用され、電子機器と相互に無線通信を行う情報処理装置のコンピュータに、情報処理を行わせるプログラムにおいて、各種の動作を行うための設定に関係する情報の参照を指示された場合、通信可能な状態にある電子機器が正当であるか否かを認証する認証ステップと、電子機器が正当であると認証された場合、情報を取得する取得ステップと、取得した情報の電子機器への送信を制御する送信制御ステップとを含む。
【００６７】
本発明の第４の側面の情報処理装置は、携帯型の電子機器と相互に無線通信を行う情報処理装置において、電子機器の認証に関係する第１の情報を入力する入力手段と、各種の動作を行うための設定に関係する第２の情報の設定が指示された場合、入力した第１の情報に基づいて、通信可能な状態にある電子機器が正当であるか否かを認証する認証手段と、電子機器が正当であると認証された場合、電子機器から送信されてくる第２の情報を受信する受信手段と、受信した第２の情報に基づいて、各種の動作を行うための設定をする設定手段と備える。
【００６８】
本発明の第４の側面の情報処理装置においては、電子機器の認証に関係する第１の情報が入力され、各種の動作を行うための設定に関係する第２の情報の設定が指示された場合、入力した第１の情報に基づいて、通信可能な状態にある電子機器が正当であるか否かが認証され、電子機器が正当であると認証された場合、電子機器から送信されてくる第２の情報を受信する受信手段と、受信した第２の情報に基づいて、各種の動作を行うための設定をする設定手段と備える。
【００６９】
したがって、簡単に、設定対象への設定を行うことができる。特に、ある車両の個別設定を受信し、その個別設定を他の車両に設定することで、簡単に、様々な個別設定を行うことができるようになる。
【００７０】
情報処理装置は、例えば、対象情報を設定対象装置に設定する被設定装置として構成される。
【００７１】
入力手段は、例えば、CPUなどによって実行されるプログラムに含まれる入力部により構成される。入力部は、電子機器の認証に関係する第１の情報を入力する。
【００７２】
したがって、参照装置と情報移転装置とは組み合わせて使用されるが、情報移転装置の認証に関係する認証情報が入力されるので、被設定装置でも、情報移転装置を正当な機器であると認証することが可能となる。
【００７３】
認証手段は、例えば、CPUなどによって実行されるプログラムに含まれる認証制御部により構成される。認証制御部は、第２の情報の設定が指示された場合、入力した第１の情報に基づいて、通信可能な状態にある電子機器が正当であるか否かを認証する。
【００７４】
受信手段は、例えば、CPUなどによって実行されるプログラムに含まれている通信部により構成される。通信部は、電子機器から送信されてくる第２の情報を受信する。
【００７５】
したがって、正当な情報移転装置と通信可能になった場合、対象情報を受信するので、より安全に対象情報を受信することが可能となる。
【００７６】
設定手段は，例えば、CPUなどによって実行されるプログラムに含まれている対象制御部により構成される。対象制御部は、受信した第２の情報に基づいて、各種の動作を行うための設定をする。
【００７７】
したがって、情報移転装置から送信されてくる、各種の動作を行うための設定に関係する対象情報を、設定対象装置に設定することが可能となる。例えば、ある車両の個別設定を受信し、その個別設定を他の車両に設定することで、簡単に、様々な個別設定を行うことが可能となる。
【００７８】
第２の情報は、他の情報処理装置または外部の装置が各種の動作を行うために設定されている情報であるようにすることができる。
【００７９】
第２の情報は、自分または外部の装置が各種の動作を行うために設定される情報であるようにすることができる。
【００８０】
したがって、参照装置または参照対象装置に設定されている対象情報を、被設定装置または設定対象装置に設定することができる。
【００８１】
本発明の第４の側面の情報処理方法は、携帯型の電子機器と相互に無線通信を行う情報処理装置の情報処理方法において、電子機器の認証に関係する第１の情報を入力する入力ステップと、各種の動作を行うための設定に関係する第２の情報の設定が指示された場合、入力した第１の情報に基づいて、通信可能な状態にある電子機器が正当であるか否かを認証する認証ステップと、電子機器が正当であると認証された場合、電子機器から送信されてくる第２の情報の受信を制御する受信制御ステップと、受信した第２の情報に基づいて、各種の動作を行うための設定をする設定ステップとを含む。
【００８２】
本発明の第４の側面の情報処理方法においては、電子機器の認証に関係する第１の情報を入力する入力ステップと、各種の動作を行うための設定に関係する第２の情報の設定が指示された場合、入力した第１の情報に基づいて、通信可能な状態にある電子機器が正当であるか否かが認証され、電子機器が正当であると認証された場合、電子機器から送信されてくる第２の情報が受信され、受信した第２の情報に基づいて、各種の動作を行うための設定がされる。
【００８３】
したがって、簡単に、設定対象への設定を行うことができる。特に、ある車両の個別設定を受信し、その個別設定を他の車両に設定することで、簡単に、様々な個別設定を行うことができるようになる。
【００８４】
本発明の第４の側面のプログラムは、電子機器の認証に関係する第１の情報を入力する入力ステップと、各種の動作を行うための設定に関係する第２の情報の設定が指示された場合、入力した第１の情報に基づいて、通信可能な状態にある電子機器が正当であるか否かが認証する認証ステップと電子機器が正当であると認証された場合、電子機器から送信されてくる第２の情報の受信を制御する受信制御ステップと、受信した第２の情報に基づいて、各種の動作を行うための設定をする設定ステップとを含むプログラム。
【００８５】
本発明の第２の側面のプログラム、第３の側面のプログラム、および第４の側面のプログラムは、所定の記録媒体に記録されて、例えば、ドライブにより読み出され、情報処理装置にインストールされる。記録媒体は、フロッピ（登録商標）ディスクなどよりなる磁気ディスク、CD-ROM(Compact Disk Read Only Memory)、DVD-ROM(Digital Versatile Disk)などよりなる光ディスク、MD(Mini Disk)（登録商標）などよりなる光磁気ディスク、または半導体メモリなどのリムーバブルメディアにより構成される。
【発明の効果】
【００８６】
以上のように、本発明の第１の側面によれば、簡単に、設定対象への設定を行うことができる。特に、簡単、かつ、安全に、車両に対して、様々な個別設定を行うことができるようになる。
【００８７】
本発明の第２の側面によれば、簡単に、設定対象への設定を行うことができる。特に、ある車両の個別設定を記憶し、その個別設定を他の車両に送信することで、簡単に、様々な個別設定を行うことができるようになる。
【００８８】
本発明の第３の側面によれば、簡単に、設定対象への設定を行うことができる。特に、ある車両の個別設定を送信することで、他の車両に対して、様々な個別設定を行うことができるようになる。
【００８９】
本発明の第４の側面によれば、簡単に、設定対象への設定を行うことができる。特に、ある車両の個別設定を受信し、その個別設定を他の車両に設定することで、簡単に、様々な個別設定を行うことができるようになる。
【発明を実施するための最良の形態】
【００９０】
以下、図面を参照しながら本発明の実施の形態について説明する。
【００９１】
図１は、本発明を適用した情報転送システム１の一実施の形態を示すブロック図である。
【００９２】
情報転送システム１は、所定の対象となる情報（以下、対象情報と称する）を、ある装置から他の装置に転送する情報処理システムの一例である。情報転送システム１は、例えば、参照装置１１、情報移転装置１２、参照対象装置１３、被設定装置１４、および設定対象装置１５から構成される。なお、情報処理システムとしての情報転送システム１において、参照装置１１と被設定装置１４は、情報処理装置の一例であり、情報移転装置１２は、電子機器の一例である。
【００９３】
参照装置１１は、例えば、乗用車、バス、電車、その他の車両に搭載される車載装置、パーソナルコンピュータ、専用のサーバ、AV（Audio Visual）機器、またはキオスク端末などの対象情報を参照する装置である。また、参照装置１１は、対象情報を参照する対象となる装置である参照対象装置１３から対象情報を参照して取得する。参照装置１１は、情報移転装置１２と通信可能である場合、情報移転装置１２との間で無線通信により、対象情報などのデータの送受信を行う。なお、参照装置１１は、参照対象装置１３から対象情報を取得せずに、自分の記憶している情報を対象情報として、情報移転装置１２に送信するようにしてもよい。
【００９４】
情報移転装置１２は、例えば、フォブと称される、キーホルダ型のデータ送信装置、携帯電話機、ポータブルPC（Portable Personal Computer）、またはPDA（Personal Digital Assistance）などの携帯情報端末である。また、情報移転装置１２は、参照装置１１と通信可能である場合、参照装置１１との間で無線通信により、対象情報などのデータの送受信を行う。さらに、情報移転装置１１は、被設定装置１４と通信可能である場合、被設定装置１４との間で無線通信により、対象情報などのデータの送受信を行う。
【００９５】
被設定装置１４は、例えば、乗用車などの車両に搭載される車載装置、パーソナルコンピュータ、専用のサーバ、AV機器、カーナビゲーション装置、カーオーディオ装置、家電、または家の制御装置などの対象情報を設定する装置である。また、被設定装置１４は、情報移転装置１２と通信可能である場合、情報移転装置１２との間で無線通信により、対象情報などのデータの送受信を行う。被設定装置１４は、情報移転装置１２から受信した対象情報を、対象情報を設定する対象となる装置である設定対象装置１５に設定する。なお、被設定装置１４は、対象情報を設定対象装置１５に設定せずに、自分に設定するようにしてもよい。
【００９６】
次に、図２と図３を参照して、本発明を適用した情報転送システム１の原理的構成を説明する。
【００９７】
なお、図２と図３において、例えば、参照装置１１と情報移転装置１２は、それらを組み合わせて使用する装置であるので、参照装置１１には、あらかじめ情報移転装置１２に対して認証を行うときの情報（以下、認証情報と称する）が登録されているが、被設定装置１４には、情報移転装置１２の認証情報が登録されておらず、情報移転装置１２と通信可能な状態にある場合、参照装置１１は、情報移転装置１２を正当であると認証するが、被設定装置１４は、情報移転装置１２を正当であるとは認証しないことになる。
【００９８】
このとき、図２に示すように、参照装置１１は、例えば、ユーザの操作により、参照対象装置１３または自分が記憶している対象情報の参照を許可する指示（以下、参照許可と称する）がされた場合、通信可能な位置にある情報移転装置１２に対して認証処理を行う。参照装置１１には、情報移転装置１２の認証情報があらかじめ登録されているので、情報移転装置１２が正当であると認証し、参照装置１１は、参照対象装置１３または自分の記憶している対象情報をその情報移転装置１２に送信する。これにより、情報移転装置１２は、参照装置１１から対象情報を受信し、記憶する。
【００９９】
また、被設定装置１４には、情報移転装置１２の認証情報が登録されていないので、被設定装置１４は、情報移転装置１２と通信可能な状態にあっても、その情報移転装置１２を正当であると認証しないが、図３に示すように、例えば、ユーザの操作により、情報移転装置１２の認証情報が入力された場合、通信可能な位置にある情報移転装置１２に対して認証処理を行って、その情報移転装置１２を正当であると認証する。そして、被設定装置１４は、その情報移転装置１２から送信されてくる対象情報を受信する。これにより、情報設定装置１３は、参照装置１１により参照された対象情報を受信し、設定対象装置１５または自分に設定する。
【０１００】
以上のようにして、情報移転装置１２は、参照装置１１により参照された対象情報を、被設定装置１４に転送する。
【０１０１】
図４は、参照装置１１の機能的構成例を示すブロック図である。
【０１０２】
参照装置１１は、転送対象情報指示部２１、情報移転動作制御部２２、モード制御部２３、通信部２４、認証制御部２５、認証情報記憶部２６、および対象制御部２７を含むようにして構成される。
【０１０３】
転送対象情報指示部２１は、ユーザによる所定の操作に応じた操作信号を、情報移転動作制御部２２に供給する。具体的には、転送対象情報指示部２１は、例えば、ユーザにより、参照装置１１に対する所定の操作がされた場合、参照許可を示す制御信号を情報移転動作制御部２２に供給する。
【０１０４】
なお、転送対象情報指示部２１は、参照対象装置１３または参照装置１１に記憶されているすべての対象情報の参照を許可するようにしてもよいし、ユーザによる所定の操作に応じて、それらの対象情報のうち、一部の情報の参照を許可するようにしてもよい。
【０１０５】
情報移転動作制御部２２は、参照装置１１による、対象情報を移転させる情報移転動作の処理を行う各部を制御する。
【０１０６】
モード制御部２３は、情報移転動作制御部２２の制御の基に、参照装置１１の動作のモードを制御する。具体的には、モード制御部２３は、参照許可が指示された場合、参照装置１１のモードを、参照設定装置または参照装置１１が記憶している対象情報の、他の装置への参照を許可するモード（以下、参照モードと称する）に遷移させる。また、モード制御部２３は、他の装置が対象情報の参照を終了した場合、参照装置１１のモードを、参照モードから元のモードに遷移させる。
【０１０７】
通信部２４は、情報移転動作制御部２２の制御の基に、情報移転装置１２と通信可能となった場合、例えば、所定の周波数の電波を利用して、情報移転装置１２と非接触で、認証情報や対象情報などのデータの送受信を行う。例えば、通信部２４は、情報移転装置１２と、RFIDによる非接触通信を行う場合、情報移転装置１２に設けられているRFIDタグに対する専用のリーダライタとして構成される。その場合、リーダライタは、電波を利用してRFIDタグと非接触でのデータの送受信を行う。
【０１０８】
認証制御部２５には、通信部２４により受信された情報移転装置１２の認証情報であって、情報移転動作制御部２２を介して通信部２４からの認証情報と、認証情報記憶部２６に記憶されている認証情報とが供給される。認証制御部２５は、それらの認証情報に基づいて、認証処理を行う。認証制御部２５は、認証の結果を情報移転動作制御部２２に供給する。なお、参照装置１１と情報移転装置１２は、それらを組み合わせて使用する装置であるので、認証情報記憶部２６には、あらかじめ情報移転装置１２の認証情報が登録されている。
【０１０９】
また、認証処理とは、例えば、情報移転装置１２に設けられているRFIDタグに対してRFID認証を行う処理などの、情報移転装置１２が正当であるかを認証する処理である。
【０１１０】
対象制御部２７は、情報移転動作制御部２２の制御の基に、参照対象装置１３または参照装置１１から対象情報を取得する。対象制御部２７は、取得した対象情報を情報移転動作制御部２２に供給する。情報移転動作制御部２２は、通信部２４を制御して、対象制御部２７から供給される対象情報を情報移転装置１２に送信させる。これにより、参照装置１１により参照されて取得された対象情報は、情報移転装置１２に送信される。
【０１１１】
図５は、情報移転装置１２の機能的構成例を示すブロック図である。
【０１１２】
情報移転装置１２は、通信部５１、情報移転動作制御部５２、認証情報記憶部５３、および対象情報記憶部５４を含むようにして構成される。
【０１１３】
通信部５１は、情報移転動作制御部５２の制御の基に、参照装置１１と通信可能となった場合、例えば、所定の周波数の電波を利用して、参照装置１１と非接触で、認証情報や対象情報などのデータの送受信を行う。例えば、通信部５１は、参照装置１１と、RFIDによる非接触通信を行う場合、参照装置１１に設けられているリーダライタに対するRFIDタグ（の一部）として構成される。その場合、RFIDタグは、電波を利用してリーダライタと非接触でのデータの送受信を行う。なお、通信部５１は、参照装置１１に対する動作と同様にして、被設定装置１４に対しても動作する。
【０１１４】
情報移転動作制御部５２は、情報移転装置１２による、対象情報を移転させる情報移転動作の処理を行う各部を制御する。
【０１１５】
具体的には、情報移転動作制御部５２は、参照装置１１から送信される認証情報の要求（以下、認証情報要求と称する）であって、通信部５１から供給される認証情報要求に基づいて、認証情報記憶部５３に記憶されている、情報移転装置１２の認証情報を取得し、その認証情報を通信部５１に供給する。通信部５１は、情報移転動作制御部５２の制御の基に、認証情報を参照装置１１に送信する。なお、情報移転動作制御部５２は、被設定装置１４から送信される認証情報要求に対しても同様に処理する。
【０１１６】
また、情報移転動作制御部５２は、参照装置１１から送信される対象情報であって、通信部５１から供給される対象情報を対象情報記憶部５４に記憶させる。これにより、参照装置１１により参照されて取得された対象情報は、情報移転装置１２に記憶される。
【０１１７】
情報移転動作制御部５２は、被設定装置１４から送信される対象情報の要求（以下、対象情報要求と称する）であって、通信部５１から供給される対象情報要求に基づいて、対象情報記憶部５４に記憶されている対象情報を取得し、その対象情報を通信部５１に供給する。通信部５１は、情報移転動作制御部５２の制御の基に、対象情報を被設定装置１４に送信する。これにより、参照装置１１により参照されて取得された対象情報は、情報移転装置１２に転送される。
【０１１８】
なお、認証情報記憶部５３と対象情報記憶部５４は、例えば，不揮発性の半導体メモリやハードディスクなどで構成され、それぞれ、個別に構成されていても、同一の記録媒体を用いて、それぞれ固有の記憶領域を有するものとしてもよい。
【０１１９】
図６は、被設定装置１４の機能的構成例を示すブロック図である。
【０１２０】
被設定装置１４は、認証情報入力部８１、認証情報記憶部８２、転送対象情報指示部８３、情報移転動作制御部８４、モード制御部８５、通信部８６、認証制御部８７、および対象制御部８８を含むようにして構成される。
【０１２１】
認証情報入力部８１は、例えば、ユーザの操作により入力される、情報移転装置１２の認証情報を取得する。認証情報入力部８１は、取得した認証情報を認証情報記憶部８２に供給する。認証情報記憶部８２は、認証情報入力部８１から供給される認証情報を記憶する。すなわち、被設定装置１４は、参照装置１１とは違って、情報移転装置１２と組み合わせて使用する装置ではないために、情報移転装置１２の認証情報が登録されていないので、例えば、ユーザの操作により、その情報移転装置１２の認証情報が入力されることにより、情報移転装置１２と組み合わせて使用することが可能となる。
【０１２２】
転送対象情報指示部８３は、ユーザによる所定の操作に応じた操作信号を、情報移転動作制御部８４に供給する。具体的には、転送対象情報指示部８３は、例えば、ユーザにより、被設定装置１４に対する所定の操作がされた場合、設定許可を示す操作信号を情報移転動作制御部８４に供給する。
【０１２３】
情報移転動作制御部８４は、被設定装置１４による、対象情報を移転させる情報移転動作の処理を行う各部を制御する。
【０１２４】
モード制御部８５は、情報移転動作制御部８４の制御の基に、被設定装置１４の動作のモードを制御する。具体的には、モード制御部８５は、設定許可が指示された場合、被設定装置１４のモードを、他の装置が記憶している対象情報の、設定対象装置１５または被設定装置１４への設定を許可するモード（以下、設定モードと称する）に遷移させる。また、モード制御部８５は、対象情報の設定が終了した場合、被設定装置１４のモードを、設定モードから元のモードに遷移させる。
【０１２５】
通信部８６は、情報移転動作制御部８４の制御の基に、情報移転装置１２と通信可能となった場合、例えば、RFIDによる非接触通信などにより、所定の周波数の電波を利用して、情報移転装置１２と非接触で、認証情報や対象情報などのデータの送受信を行う。例えば、通信部８６は、情報移転装置１２と、RFIDによる非接触通信を行う場合、情報移転装置１２に設けられているRFIDタグに対する専用のリーダライタとして構成される。その場合、リーダライタは、電波を利用してRFIDタグと非接触でのデータの送受信を行う。
【０１２６】
認証制御部８７には、通信部８６により受信された情報移転装置１２の認証情報であって、情報移転動作制御部８４を介して通信部８６からの認証情報と、認証情報記憶部８２に記憶されている認証情報とが供給される。認証制御部８７は、それらの認証情報に基づいて、認証処理を行う。認証制御部８７は、認証の結果を情報移転動作制御部８４に供給する。
【０１２７】
対象制御部８８は、情報移転動作制御部８４の制御の基に、対象情報を設定する対象となる設定対象装置１５または被設定装置１４に対象情報を供給し、その対象情報を設定対象装置１５または被設定装置１４に設定させる。これにより、参照装置１１により参照されて取得された対象情報は、設定対象装置１５または被設定装置１４に設定される。
【０１２８】
次に、図７乃至図９のフローチャートを参照して、情報転送システム１を構成する各装置、すなわち、参照装置１１、情報移転装置１２、および被設定装置１４の動作について説明する。
【０１２９】
まず、図７のフローチャートを参照して、図４の参照装置１１による、対象情報参照の処理について説明する。
【０１３０】
ステップＳ１１において、情報移転動作制御部２２は、転送対象情報指示部２１からの、例えば、ユーザによる所定の操作に応じた操作信号に基づいて、対象情報の参照許可が指示されたか否かを判定する。
【０１３１】
ステップＳ１１において、参照許可が指示されていないと判定された場合、ステップＳ１１の処理が繰り返される。すなわち、ステップＳ１１において、例えば、ユーザにより所定の操作が行われて、参照許可が指示されたと判定されるまで、ステップＳ１１の処理が繰り返される。
【０１３２】
一方、ステップＳ１１において、参照許可が指示されたと判定された場合、ステップＳ１２に進み、モード制御部２３は、情報移転動作制御部２２の制御の基に、参照装置１１のモードを、対象情報を参照するモードである参照モードに遷移させる。
【０１３３】
ステップＳ１３において、情報移転動作制御部２２は、通信部２４の状態を監視することにより、情報移転装置１２と通信可能であるか否かを判定する。
【０１３４】
ステップＳ１３において、情報移転装置１２と通信可能ではないと判定された場合、ステップＳ１４乃至ステップＳ１９の処理をスキップして、ステップＳ２０に進み、モード制御部２３は、情報移転動作制御部２２の制御の基に、参照装置１１のモードを、参照モードから元のモードに遷移させて、対象情報参照の処理は終了する。すなわち、このとき、参照装置１１と情報移転装置１２とは、通信可能な位置関係になっていないため、対象情報を情報移転装置１２に送信することができないので、モードを元に戻して、対象情報参照の処理を終了する。
【０１３５】
一方、ステップＳ１３において、情報移転装置１２と通信可能であると判定された場合、ステップＳ１４に進み、通信部２４は、情報移転動作制御部２２の制御の基に、認証情報要求を情報移転装置１２に送信する。
【０１３６】
ステップＳ１５において、通信部２４は、情報移転装置１２から送信される認証情報を受信する。通信部２４は、受信した認証情報を、情報移転動作制御部２２を介して認証制御部２５に供給する。
【０１３７】
ステップＳ１６において、認証制御部２５は、認証情報記憶部２６から認証情報を取得し、その認証情報と、情報移転装置１２から受信した認証情報に基づいた認証処理を行って、認証の結果を情報移転動作制御部２２に供給する。例えば、認証制御部２５は、情報移転装置１２に設けられているRFIDタグに対してRFID認証を行うことにより、情報移転装置１２が正当であるかを認証する。
【０１３８】
ステップＳ１７において、情報移転動作制御部２２は、認証制御部２５からの認証の結果に基づいて、認証情報を送信してきた情報移転装置１２が正当であるか否かを判定する。
【０１３９】
ステップＳ１７において、情報移転装置１２が正当でないと判定された場合、正当でない情報移転装置１２には対象情報を送信しないので、ステップＳ１８およびステップＳ１９の処理をスキップして、ステップＳ２０に進み、モード制御部２３は、情報移転動作制御部２２の制御の基に、モードを参照モードから元のモードに遷移させて、対象情報参照の処理は終了する。これにより、参照装置１１は、正当でない情報移転装置１２に対して対象情報を送信しないため、対象情報が不正に使用されることを未然に防止することができる。
【０１４０】
一方、ステップＳ１７において、情報移転装置１２が正当であると判定された場合、ステップＳ１８に進み、対象制御部２７は、情報移転動作制御部２２からの判定結果に基づいて、参照対象装置１３から対象情報を取得し、その対象情報を情報移転動作制御部２２に供給する。なお、対象制御部２７は、参照装置１１自身が記憶している対象情報を取得し、その対象情報を情報移転動作制御部２２に供給するようにしてもよい。
【０１４１】
ステップＳ１９において、通信部２４は、情報移転動作制御部２２の制御の基に、対象制御部２７により取得された対象情報を情報移転装置１２に送信する。
【０１４２】
ステップＳ２０において、モード制御部２３は、情報移転動作制御部２２の制御の基に、参照装置１１のモードを、参照モードから元のモードに遷移させて、対象情報参照の処理を終了する。
【０１４３】
以上のように、参照装置１１は、対象情報参照の処理を行うことにより、正当である情報移転装置１２に対して、対象情報を送信する。
【０１４４】
次に、図８のフローチャートを参照して、図５の情報移転装置１２による、対象情報転送の処理について説明する。
【０１４５】
ステップＳ５１において、情報移転動作制御部５２は、通信部５１の状態を監視することにより、参照装置１１から送信される認証情報要求を受信したか否かを判定する。
【０１４６】
ステップＳ５１において、参照装置１１からの認証情報要求を受信していないと判定された場合、例えば、参照装置１１とは通信可能な位置関係になっていないので、ステップＳ５２乃至ステップＳ６１の処理をスキップして、対象情報転送の処理は終了する。
【０１４７】
一方、ステップＳ５１において、参照装置１１からの認証情報要求を受信したと判定された場合、ステップＳ５２に進み、情報移転動作制御部５２は、通信部５１からの認証情報要求に基づいて、認証情報記憶部５３に記憶されている、情報移転装置１２の認証情報を取得する。
【０１４８】
ステップＳ５３において、通信部５１は、情報移転動作制御部５２の制御の基に、認証情報記憶５３から取得された認証情報を参照装置１１に送信する。
【０１４９】
ステップＳ５４において、情報移転動作制御部５２は、通信部５１の状態を監視することにより、参照装置１１から送信される対象情報を受信したか否かを判定する。
【０１５０】
ステップＳ５４において、参照装置１１からの対象情報を受信していないと判定された場合、例えば、参照装置１１と通信可能な位置関係になっていないので、ステップＳ５５乃至ステップＳ６１の処理をスキップして、対象情報転送の処理は終了する。
【０１５１】
一方、ステップＳ５４において、参照装置１１からの対象情報を受信したと判定された場合、ステップＳ５５に進み、情報移転動作制御部５２は、通信部５１により受信された対象情報を対象情報記憶部５４に記憶させる。これにより、対象情報記憶部５４には、参照対象装置１３または参照装置１１からの対象情報が記憶されていることになる。
【０１５２】
ステップＳ５６において、情報移転動作制御部５２は、通信部５１の状態を監視することにより、被設定装置１４から送信されてくる認証情報要求を受信したか否かを判定する。
【０１５３】
ステップＳ５６において、被設定装置１４からの認証情報要求を受信していないと判定された場合、例えば、被設定装置１４と通信可能な位置関係になっていないので、ステップＳ５７乃至ステップＳ６１の処理をスキップして、対象情報転送の処理は終了する。
【０１５４】
一方、ステップＳ５６において、被設定装置１４からの認証情報要求を受信したと判定された場合、ステップＳ５７に進み、情報移転動作制御部５２は、通信部５１からの認証情報要求に基づいて、認証情報記憶部５３に記憶されている、情報移転装置１２の認証情報を取得する。
【０１５５】
ステップＳ５８において、通信部５１は、情報移転動作制御部５２の制御の基に、認証情報記憶５３から取得された認証情報を被設定装置１４に送信する。
【０１５６】
ステップＳ５９において、情報移転動作制御部５２は、通信部５１の状態を監視することにより、被設定装置１４から送信されてくる対象情報要求を受信したか否かを判定する。
【０１５７】
ステップＳ５９において、被設定装置１４からの対象情報要求を受信していないと判定された場合、例えば、被設定装置１４と通信可能な位置関係になっていないので、ステップＳ６０およびステップＳ６１の処理をスキップして、対象情報転送の処理は終了する。
【０１５８】
一方、ステップＳ５９において、被設定装置１４からの対象情報要求を受信したと判定された場合、ステップＳ６０に進み、情報移転動作制御部５２は、通信部５１からの対象情報要求に基づいて、対象情報記憶部５４に記憶されている、参照対象装置１３または参照装置１１からの対象情報を取得する。
【０１５９】
ステップＳ６１において、通信部５１は、情報移転動作制御部５２の制御の基に、対象情報記憶５４から取得された対象情報を、被設定装置１４に送信して、対象情報転送の処理は終了する。これにより、通信部５１は、対象情報記憶部５４に記憶されている、参照対象装置１３または参照装置１１からの対象情報を、被設定装置１４に送信したことになる。
【０１６０】
以上のように、情報移転装置１２は、対象情報移転の処理を行うことにより、参照装置１１から受信した対象情報を、被設定装置１４に転送する。
【０１６１】
次に、図９のフローチャートを参照して、図６の被設定装置１４による、対象情報設定の処理について説明する。
【０１６２】
ステップＳ９１において、認証情報入力部８１は、例えば、ユーザの操作により入力される、情報移転装置１２の認証情報が入力されたか否かを判定する。具体的には、上述したように、被設定装置１４は、参照装置１１とは違って、情報移転装置１２と組み合わせて使用する装置ではないために、情報移転装置１２の認証情報が登録されていないので、ステップＳ９１の処理により、その情報移転装置１２の認証情報が入力されたと判定されることで、情報移転装置１２と組み合わせて使用することができる。
【０１６３】
ステップＳ９１において、情報移転装置１２の認証情報が入力されていないと判定された場合、ステップＳ９１の処理が繰り返される。すなわち、例えば、ユーザの操作により、情報移転装置１２の認証情報が入力されて、ステップＳ９１において、認証情報が入力されたと判定されるまで、ステップＳ９１の処理が繰り返される。
【０１６４】
一方、ステップＳ９１において、情報移転装置１２の認証情報が入力されたと判定された場合、ステップＳ９２に進み、認証情報記憶部８２は、認証情報入力部８１からの情報移転装置１２の認証情報を記憶する。
【０１６５】
ステップＳ９３において、情報移転動作制御部８４は、転送対象情報指示部８３からの、例えば、ユーザによる所定の操作に応じた操作信号に基づいて、対象情報の設定許可が指示されたか否かを判定する。
【０１６６】
ステップＳ９３において、設定許可が指示されていないと判定された場合、ステップＳ９３の処理が繰り返される。すなわち、例えば、ユーザにより所定の操作が行われて、ステップＳ９３において、設定許可が指示されたと判定されるまで、ステップＳ９３の処理が繰り返される。
【０１６７】
一方、ステップＳ９３において、設定許可が指示されたと判定された場合、ステップＳ９４に進み、モード制御部８５は、情報移転動作制御部８４の制御の基に、被設定装置１４のモードを、対象情報を設定するモードである設定モードに遷移させる。
【０１６８】
ステップＳ９５において、情報移転動作制御部８４は、通信部８６の状態を監視することにより、情報移転装置１２と通信可能であるか否かを判定する。
【０１６９】
ステップＳ９５において、情報移転装置１２と通信可能ではないと判定された場合、ステップＳ９６乃至ステップＳ１０２の処理をスキップして、ステップＳ１０３に進み、モード制御部８５は、情報移転動作制御部８４の制御の基に、被設定装置１４のモードを、設定モードから元のモードに遷移させて、対象情報設定の処理を終了する。すなわち、このとき、被設定装置１４と情報移転装置１２とは、通信可能な位置関係になっていないため、情報移転装置１２から対象情報を受信することができないので、モードを元に戻して、対象情報設定の処理を終了する。
【０１７０】
一方、ステップＳ９５において、情報移転装置１２と通信可能であると判定された場合、ステップＳ９６に進み、通信部８６は、情報移転動作制御部８４の制御の基に、認証情報要求を情報移転装置１２に送信する。
【０１７１】
ステップＳ９７において、通信部８６は、情報移転装置１２から送信される認証情報を受信する。通信部８６は、受信した認証情報を、情報移転動作制御部８４を介して認証制御部８７に供給する。
【０１７２】
ステップＳ９８において、認証制御部８７は、認証情報記憶部８２から認証情報を取得し、その認証情報と、情報移転装置１２から受信した認証情報に基づいた認証処理を行って、認証の結果を情報移転動作制御部８４に供給する。例えば、認証制御部８７は、情報移転装置１２に設けられているRFIDタグに対してRFID認証を行うことにより、情報移転装置１２が正当であるかを認証する。
【０１７３】
ステップＳ９９において、情報移転動作制御部８４は、認証制御部８７からの認証の結果に基づいて、認証情報を送信してきた情報移転装置１２が正当であるか否かを判定する。
【０１７４】
ステップＳ９９において、情報移転装置１２が正当でないと判定された場合、正当でない情報移転装置１２からの対象情報は設定しないので、ステップＳ１００乃至ステップＳ１０２の処理をスキップして、ステップＳ１０３に進み、モード制御部８５は、情報移転動作制御部８４の制御の基に、モードを設定モードから元のモードに遷移させて、対象情報設定の処理を終了する。これにより、被設定装置１４は、正当でない情報移転装置１２からの対象情報を設定しないため、不正な装置からの対象情報を設定しないようにすることができる。
【０１７５】
一方、ステップＳ９９において、情報移転装置１２が正当であると判定された場合、すなわち、ステップＳ９１の処理により入力された認証情報の情報移転装置１２であるとき、ステップＳ１００に進み、通信部８６は、情報移転動作制御部８４の制御の基に、対象情報要求を情報移転装置１２に送信する。
【０１７６】
ステップＳ１０１において、通信部８６は、情報移転動作制御部８４の制御の基に、情報移転装置１２から送信される対象情報を受信する。通信部８６は、受信した対象情報を、情報移転動作制御部８４を介して対象制御部８８に供給する。
【０１７７】
ステップＳ１０２において、対象制御部８８は、情報移転装置１２から受信した対象情報を設定対象装置１５に設定する。これにより、参照対象装置１３または参照装置１１からの対象情報を、設定対象装置１５に設定することになる。なお、対象制御部８８は、情報移転装置１２から受信した対象情報を被設定装置１４自身に記憶させるようにしてもよい。
【０１７８】
ステップＳ１０３において、モード制御部８５は、情報移転動作制御部８４の制御の基に、被設定装置１４のモードを設定モードから元のモードに遷移させて、対象情報設定の処理は終了する。
【０１７９】
以上のように、被設定装置１４は、対象情報設定の処理を行うことにより、情報移転装置１２から転送された、参照対象装置１３または参照装置１１からの対象情報を、設定対象装置１５または被設定装置１４に設定する。
【０１８０】
次に、上述した本実施例をより分かり易く説明するために、車のディーラのショールームにおいて、セールスマンが、車の購入希望者（以下、ユーザと称する）に対して、展示用の展示車の設定内容を変更しながら車の説明を行い、仮に、ユーザがその車を購入した場合、購入されたその車（被設定車）に、例えば、フォブなどの携帯情報端末を利用して展示車と同様の設定を行う自動車の販売の一連の処理を一例にして説明する。
【０１８１】
図１０は、本発明を適用した展示車３２１、携帯情報端末３２２、および被設定車３３１の原理的構成を説明する図である。
【０１８２】
図１０で示される例において、ショールーム３１１には、展示車３２１が展示されており、展示車３２１用の携帯情報端末３２２を手に持っているセールスマンが、車の購入を希望しているユーザ（図示せず）に対して、展示車３２１の説明を行っている。そのとき、セールスマンは、展示車３２１の、例えば、ステアリングやシートの位置の設定など、あらかじめ設定されている機能を用いて説明を行いながら、ユーザの好みを反映して設定を変更してデモンストレーションを行うことにより、そのユーザに設定した機能の具体的な内容と使用方法を伝えることできる。具体的には、例えば、展示車３２１の運転席にユーザを座らせて、シートポジションにあわせて、適切なステアリングポジションを設定する。
【０１８３】
そして、ユーザが展示車３２１と同車種の車を購入することになった場合、セールスマンは、携帯情報端末３２２に対して、所定の操作をすることにより、例えば、そのユーザに対して設定されたステアリングやシートの位置の設定情報を、展示車３２１から取得して記憶させる。
【０１８４】
後日、車を購入したユーザが納車のために、車のディーラの納車場所３１２に来たとき、セールスマンは、展示車３２１の設定情報を記憶している携帯情報端末３２２に対して所定の操作をすることにより、例えば、展示車３２１に対する、そのユーザに設定されたステアリングやシートの位置の情報を被設定車３３１に送信して設定する。これにより、被設定車３３１には、以前にショールーム３１１で説明を受けた展示車３２１の設定の設定情報が設定されることになり、ユーザにとって最適なシートポジションにあったステアリングポジションが、被設定車３３１にも設定されることになる。
【０１８５】
図１１は、展示車３２１の機能的構成例を示すブロック図である。
【０１８６】
展示車３２１は、例えば、乗用車などの展示用の車両である。展示車３２１は、スマートエントリ制御装置３５１および対象装置３５３を含むようにして構成される。また、それらの装置は、例えば、CAN（Controller Area Network）などからなる車載LAN（Local Area Network）３５２を介して相互に接続されている。
【０１８７】
スマートエントリ制御装置３５１は、展示車３２１のスマートエントリ機能を実現するために、車載LAN３５２を介して、対象装置３５３の各装置を制御する。
【０１８８】
ここで、スマートエントリ機能とは、携帯情報端末３２２が展示車３２１により認証されることにより、例えば、ドアロックが解除されたり、エンジンが始動したり、ユーザにとって最適なシートポジションにあったステアリングポジションが設定されたりするなどの、ユーザの操作を介さずに対象装置３５３を動作させる機能である。これにより、ユーザは、車のキーを使用せずに展示車３２１に近づくだけで、例えば、ドアやトランクの施錠と解錠を行ったり、エンジンを始動させたり、ユーザにとって最適なシートポジションにあったステアリングポジションに設定させたりすることができるようになる。
【０１８９】
スマートエントリ制御装置３５１は、利用者認証部３６１、スマートエントリ制御部３６２、個別設定制御部３６３、通信部３６４、および入力部３６５を含むようにして構成される。
【０１９０】
利用者認証部３６１は、携帯情報端末３２２が正当であるかを認証する。具体的には、利用者認証部３６１は、通信部３６４から供給される携帯情報端末３２２から受信した認証情報と、あらかじめ記憶している展示車３２１用の携帯情報端末３２２の認証情報に基づいて、携帯情報端末３２２が正当であるかを認証する認証処理を行う。利用者認証部３６１は、認証の結果を、車載LAN３５２を介してスマートエントリ制御部３６２または個別設定制御部３６３に供給する。
【０１９１】
なお、利用者認証部３６１は、例えば、キーシリンダとキーIDとの一致など、携帯情報端末３２２との認証処理以外の認証処理を組み合わせて認証を行うようにしてもよい。
【０１９２】
スマートエントリ制御部３６２は、利用者認証部３６１から供給される認証の結果に基づいて、車載LAN３５２を介して対象装置３５３の各装置を制御し、スマートエントリ機能の各種の動作を制御する。
【０１９３】
個別設定制御部３６３は、利用者認証部３６１から供給される認証の結果が、携帯情報端末３２２が正当であることを示している場合、車載LAN３５２を介して対象装置３５３から個別の設定情報を取得する。個別設定制御部３６３は、取得した設定情報を通信部３６４に供給し、送信させる。
【０１９４】
また、個別設定制御部３６３は、利用者認証部３６１から供給される認証の結果が、携帯情報端末３２２が正当であることを示している場合、通信部３６４から供給される携帯情報端末３２２から受信した設定情報を、車載LAN３５２を介して対象装置３５３の各装置に設定する。
【０１９５】
すなわち、個別設定制御部３６３は、対象装置３５３の設定情報を参照して取得するとともに、携帯情報端末３２２からの設定情報を対象装置３５３に設定する。
【０１９６】
通信部３６４は、携帯情報端末３２２と通信可能となった場合、例えば、所定の周波数の電波を利用して、携帯情報端末３２２と非接触で、認証情報や設定情報などのデータの送受信を行う。例えば、通信部３６４は、携帯情報端末３２２と、RFIDによる非接触通信を行う場合、携帯情報端末３２２に設けられているRFIDタグに対応する専用のリーダライタとして構成される。その場合、リーダライタは、電波を利用してRFIDタグと非接触でのデータの送受信を行う。
【０１９７】
入力部３６５は、ユーザによる所定の操作を受け付ける。入力部３６５は、ユーザによる所定の操作に応じた操作信号を個別設定制御部３６３に供給する。個別設定制御部３６３は、入力部３６５から供給される制御信号に基づいて、スマートエントリ制御装置３５１のモードを、例えば、参照モードや設定モードに遷移させたり、参照モードや設定モードから元のモードに遷移させたりする。
【０１９８】
対象装置３５３は、設定情報が設定されている装置である。対象装置３５３は、個別設定制御部３６３の制御の基に、自分に設定されている設定情報を参照させたり、携帯情報端末３２２からの設定情報を自分に設定したりする。
【０１９９】
対象装置３５３は、例えば、エンジン制御装置３５３ａ、ATミッション制御装置３５３ｂ、パワーステアリング制御装置３５３ｃ、ステアリング位置制御装置３５３ｄ、オートシート制御装置３５３ｅ、オートミラー制御装置３５３ｆ、パワーウィンドウ制御装置３５３ｇ、エアコン制御装置３５３ｈ、NAV制御装置３５３ｉ、ハンズフリー制御装置３５３ｊ、テレマティクス装置３５３ｋ、および自動支払装置３５３ｌを含むようにして構成される。
【０２００】
エンジン制御装置３５３ａ乃至自動支払装置３５３ｌは、それぞれ、各種の設定情報に基づいて、所定の動作を行う。
【０２０１】
エンジン制御装置３５３ａは、エンジン機構を制御し、AT（Automatic Transmission）ミッション制御装置３５３ｂは、トランスミッション機構を制御し、パワーステアリング制御装置３５３ｃは、油圧やモータの働きにより運転者の力をアシストし、軽く操作できるように仕上げられたステアリング機構であるパワーステアリングを制御する。
【０２０２】
また、ステアリング位置制御装置３５３ｄは、ステアリング機構を制御し、オートシート制御装置３５３ｅは、例えば、運転席や助手席、後部座席などのシート機構を制御し、オートミラー制御装置３５３ｆは、例えば、サイドミラーなどのミラー機構を制御し、パワーウィンドウ制御装置３５３ｇは、スイッチ操作によりガラスの昇降を行うパワーウィンドウ機構を制御し、エアコン制御装置３５３ｈは、エアコン機構を制御する。
【０２０３】
NAV（Car Navigation System）制御装置３５３ｉは、GUI（Graphical User Interface）操作部３５３ｉ−１から入力される、例えば、ユーザによるタッチパネルの操作に応じた操作信号に基づいて、カーナビゲーションシステムを制御する。また、NAV制御装置３５３ｉは、音声操作部３５３ｉ−２から入力される、例えば、ユーザの音声に対応した操作信号に基づいて、カーナビゲーションシステムを制御する。ハンズフリー制御装置３５３ｊは、両手でハンドルを握ったまま、スピーカやマイクを通して通話するためのハンズフリー機構を制御する。
【０２０４】
テレマティクス装置３５３ｋは、いわゆるテレマティクス（Telematics）、すなわち、例えば、遠隔車両診断、盗難車両追跡、故障時の自動通報、事故時の警察などへの連絡などの情報の提供をやり取りするための装置であり、自動支払装置３５３ｌは、例えば、ETC(Electronic Toll Collection)などのあるサービスに対して、所定の金額を支払うための装置である。
【０２０５】
なお、これらのエンジン制御装置３５３ａ乃至自動支払装置３５３ｌは、対象装置３５３の一例であり、上述した以外でも、例えば、オーディオ機構を制御する装置など、車両に搭載されている装置で、利用者ごと個別に設定することが可能な装置であればよい。
【０２０６】
以上のように、展示車３２１は構成される。なお、設定情報は、上述した対象情報の一例である。また、展示車３２１を構成する各装置のうち、スマートエントリ制御装置３５１は、図４の参照装置１１と同様の機能を有する。具体的には、例えば、利用者認証部３６１は、図４の認証制御部２５および認証情報記憶部２６に相当し、個別設定制御部３６３は、図４のモード制御部２３および対象制御部２７に相当し、通信部３６４は、図４の通信部２４に相当し、入力部３６５は、図４の転送対象情報指示部２１に相当する。また、対象装置３５３は、例えば、図４の参照対象装置１３に相当する。
【０２０７】
また、被設定車３３１は、展示車３２１と同様に構成されるので、その説明は省略する。その場合、被設定車３３１を構成する各装置のうち、スマートエントリ制御装置３５１は、図６の被設定装置１４と同様の機能を有する。具体的には、例えば、利用者認証部３６１は、図６の認証制御部８７および認証情報記憶部８２に相当し、個別設定制御部３６３は、図６のモード制御部８５および設定制御部８８に相当し、通信部３６４は、図６の通信部８６に相当し、入力部３６５は、図７の認証情報入力部８１および転送対象情報指示部８３に相当する。また、対象装置３５３は、例えば、図６の設定対象装置１５に相当する。
【０２０８】
図１２は、図１１の個別設定制御部３６３の詳細を説明する図である。
【０２０９】
個別設定制御部３６３は、例えば、共通設定部３６３Ａと個人別設定部３６３Ｂから構成される。また、例えば、共通設定部３６３Ａは、装置別設定部３６３ａと統合設定部３６３ｂから構成され、個人別設定部３６３Ｂは、装置別設定部３６３ｃと統合設定部３６３ｄから構成される。
【０２１０】
個別設定制御部３６３が設定する設定情報には、例えば、エンジンの設定などのように共通に設定される情報と、例えば、ステアリングやシートの位置などのように個人別に設定される情報とがある。共通設定部３６３Ａは、設定情報のうち、共通に設定される設定情報の設定を制御し、個人別設定部３６３Ｂは、設定情報のうち、個人別に設定される設定情報の設定を制御する。
【０２１１】
また、設定情報には、各装置別に設定する情報と、複数の装置を合わせて設定する情報とがある。例えば、装置別設定部３６３ａは、共通設定部３６３Ａが設定する設定情報のうち、装置別に設定する設定情報の設定を制御し、統合設定部３６３ｂは、共通設定部３６３Ａが設定する設定情報のうち、複数の装置を合わせて設定する設定情報の設定を制御する。また、例えば、装置別設定部３６３ｃは、個人別設定部３６３Ｂが設定する設定情報のうち、装置別に設定する設定情報の設定を制御し、統合設定部３６３ｄは、個人別設定部３６３Ｂが設定する設定情報のうち、複数の装置を合わせて設定する設定情報の設定を制御する。
【０２１２】
また、これらの個人別の設定情報は、例えば、生体認証情報により識別される。生体認証情報には、図１３に示すように、例えば、顔画像認証に用いる顔認証情報、指紋認証や掌紋認証に用いる指紋/掌紋認証情報、虹彩認証に用いる虹彩認証情報、静脈認証に用いる静脈認証情報などの、個人の生体的特徴を用いて生体認証を行うための情報がある。
【０２１３】
例えば、入力部３６５は、カメラを含んで構成され、例えば、顔画像、指紋画像、虹彩画像、静脈画像などを取得し、個人を特定するための情報を取得する。具体的には、例えば、CCD（Charge Coupled Device）撮像素子やCMOS（Complementary Metal Oxide Semiconductor）撮像素子を内蔵した動画像カメラによって、搭乗者の顔画像などの生体認証情報を取得し、車載LAN３５２を介して、利用者認証部３６１に供給する。利用者認証部３６１は、入力部３６５により取得された生体認証情報に基づいて認証処理を行って、認証の結果を個別設定制御部３６３に供給する。そして、個別設定制御部３６３は、利用者認証部３６１からの認証結果に基づいて、その認証結果に応じた個人別利用情報を取得したり、設定したりする。
【０２１４】
ここで、個人別利用情報とは、図１４に示すように、例えば、ステアリングやシート、エアコンなどの対象を特定するための対象特定情報、ステアリングやシートの位置、エアコンの設定などの対象の設定情報、ドライバ、助手席、子供などの役割情報など、個人ごとに設定される設定情報である。個別設定制御部３６３は、認証結果に基づいて、これらの個人別利用情報を取得することにより、対象装置３５３に対して、ユーザごとに各種の設定を行う。
【０２１５】
具体的には、例えば、家族で被設定車３３１を利用する場合でも、父親や母親、息子などのユーザごとに、ステアリングやシート位置を設定することが可能となる。その結果、被設定車３３１のドライバを認証することにより、その運転するユーザに合わせて、ステアリングやシート位置を設定することができる。
【０２１６】
このように、生体認証を用いて認証を行うことにより、より確実に、安全に、設定情報を取得したり、設定情報を設定したりすることが可能となる。また、これにより、複数のユーザに対して、そのユーザごとに様々な設定をすることが可能となる。
【０２１７】
なお、上述した例では、生体認証情報を用いた生体認証を認証処理の一例として説明したが、それに限らず、ユーザを識別できる方法であればよい。
【０２１８】
図１５は、携帯情報端末３２２の機能的構成例を示すブロック図である。
【０２１９】
携帯情報端末３２２は、例えば、キーホルダ型の形状からなるフォブなどである。携帯情報端末３２２は、展示車３２１用の携帯情報端末であり、展示車３２１との認証処理に成功した場合、スマートエントリ機能を展示車３２１に実行させる。
【０２２０】
携帯情報端末３２２は、通信部３８１、制御部３８２、記憶部３８３、および入力部３８４を含むようにして構成される。
【０２２１】
通信部３８１は、展示車３２１と通信可能となった場合、例えば、所定の周波数の電波を利用して、展示車３２１と非接触で、認証情報や設定情報などのデータの送受信を行う。例えば、通信部３８１は、展示車３２１とRFIDによる非接触通信を行う場合、展示車３２１の内部に設けられているリーダライタに対するRFIDタグ（の一部）として構成される。その場合、RFIDタグは、電波を利用してリーダライタと非接触でのデータの送受信を行う。なお、通信部３８１は、展示車３２１に対する動作と同様にして、被設定車３３１に対しても動作する。
【０２２２】
制御部３８２は、携帯情報端末３２２の各部を制御する。
【０２２３】
通信部３８１は、制御部３８２の制御の基に、展示車３２１または被設定車３３１から送信される認証情報要求を受信し、その認証情報要求を制御部３８２に供給する。制御部３８２は、通信部３８１から供給される認証情報要求に基づいて、記憶部３８３に記憶されている認証情報を取得する。制御部３８２は、通信部３８１を制御して、取得した認証情報を、認証情報要求を送信してきた展示車３２１または被設定車３３１に送信する。
【０２２４】
また、同様に、通信部３８１は、制御部３８２の制御の基に、展示車３２１から送信される設定情報を受信し、その設定情報を制御部３８２に供給する。制御部３８２は、通信部３８１から供給される設定情報を記憶部３８３に記憶させる。これにより、記憶部３８３は、展示車３２１の設定情報を記憶する。
【０２２５】
さらにまた、同様に、通信部３８１は、制御部３８２の制御の基に、被設定車３３１から送信される設定情報要求を受信し、その設定情報要求を制御部３８２に供給する。制御部３８２は、通信部３８１から供給される設定情報要求に基づいて、記憶部３８３に記憶されている設定情報を取得する。制御部３８２は、通信部３８１を制御して、取得した設定情報を被設定車３３１に送信する。これにより、展示車３２１の設定情報は、被設定車３３１に転送される。
【０２２６】
入力部３８４は、例えば、所定のスイッチなどからなり、ユーザの操作に応じた操作信号を制御部３８２に供給する。具体的には、入力部３８４は、ユーザにより操作された場合、展示車３２１のスマートエントリ機能を指示するための操作信号を制御部３８２に供給する。制御部３８２は、通信部３８１を制御して、その操作信号に対応するコマンドを展示車３２１に送信させる。これにより、展示車３２１は、例えば、ドアロックを解除するなどの、スマートエントリ機能を実行する。
【０２２７】
なお、携帯情報端末３２２は、図５の情報移転装置１２と同様の機能を有する。具体的には、例えば、通信部３８１は、図５の通信部５１に相当し、制御部３８２は、図５の情報移転動作制御部５２に相当し、記憶部３８３は、図５の認証情報記憶部５３および対象情報記憶部５４に相当する。また、図５には、入力部３８４に相当するブロックは設けられていないが、情報移転装置１２に入力部３８４に相当するブロックを設けてもよいし、携帯情報端末３２２に入力部３８４を設けないようにしてもよい。
【０２２８】
また、被設定車３３１用の携帯情報端末は、携帯情報端末３２２と同様に構成されるので、その説明は省略する。
【０２２９】
次に、図１６のフローチャートを参照して、展示車３２１、携帯情報端末３２２、および被設定車３３１による処理の一例として、自動車の販売の処理について説明する。
【０２３０】
この処理は、例えば、車のショールーム３１１において、セールスマンが車の購入を希望しているユーザに対して、展示車３２１の説明を行う場合、そのユーザの好みを反映して、ステアリングやシートの位置を変更しながらデモンストレーションを行って説明をし、その後、そのユーザが展示車３２１と同車種の車を購入することが決まったときに実行される。すなわち、図１６のフローチャートにおいて、展示車３２１は、ステップＳ１５１乃至ステップＳ１５６の処理を実行し、携帯情報端末３２２は、ステップＳ１６１乃至ステップＳ１６８の処理を実行し、被設定車３３１は、ステップＳ１７１乃至ステップＳ１７８の処理を実行する。
【０２３１】
なお、展示車３２１と被設定車３３１は、それぞれ、専用の携帯情報端末を持っているが、この処理では、携帯情報端末３２２は、展示車３２１用の携帯情報端末であるとして説明する。
【０２３２】
ステップＳ１５１において、展示車３２１の入力部３６５は、ユーザによる所定の操作により、展示車３２１の設定情報の参照を許可する指示である参照許可を受け付ける。このとき、展示車３２１のスマートエントリ制御装置３５１は、自分に設定されている設定情報の参照を許可する参照モードにモードを遷移する。
【０２３３】
ステップＳ１５２において、展示車３２１の通信部３６４は、認証情報要求を携帯情報端末３２２に送信し、展示車３２１と携帯情報端末３２２とが通信可能な状態にある場合、ステップＳ１６１において、携帯情報端末３２２の通信部３８１は、展示車３２１からの認証情報要求を受信する。ステップＳ１６２において、携帯情報端末３２２の制御部３８２は、通信部３８１により受信された認証情報要求に応じて、記憶部３８３から認証情報を取得する。そして、携帯情報端末３２２の制御部３８２は、取得した認証情報を通信部３８１に供給し、認証情報要求を送信してきた展示車３２１に送信させる。
【０２３４】
ステップＳ１５３において、展示車３２１の通信部３６４は、携帯情報端末３２２からの認証情報を受信し、その認証情報を利用者認証部３６１に供給する。
【０２３５】
ステップＳ１５４において、展示車３２１の利用者認証部３６１は、あらかじめ展示車３２１に登録されている携帯情報端末３２２の認証情報と、携帯情報端末３２２からの認証情報に基づいて、認証処理を行う。展示車３２１の個別設定制御部３６３は、認証の結果に基づいて、携帯情報端末３２２が正当であると判定された場合、展示車３２１の対象装置３５３に設定されている各種の設定情報を参照して取得し、取得した設定情報を通信部３６４に供給する。展示車３２１の通信部３６４は、個別設定制御部３６３の制御の基に、展示車３２１の対象装置３５３の設定情報を携帯情報端末３２２に送信する。
【０２３６】
具体的には、例えば、ショールーム３１１において、ユーザに対して、展示車３２１のステアリングとシートの位置の設定を行った場合、個別設定制御部３６３は、車載LAN３５２を介して、ステアリング位置制御装置３５３ｄからステアリング位置の設定情報を取得し、オートシート制御装置３５３ｅからシート位置の設定情報を取得する。そして、個別設定制御部３６３は、取得したステアリングとシート位置の設定情報を通信部３６４に供給し、それらの位置の設定情報を携帯情報端末３２２に送信させる。また、このとき、展示車３２１のスマートエントリ制御装置３５１は、参照モードから元のモードにモードを遷移し、例えば、携帯情報端末３２２よりスマートエントリ機能の実行が指示されるまで待機している。
【０２３７】
ステップＳ１６３において、携帯情報端末３２２の通信部３８１は、展示車３２１から設定情報を受信し、ステップＳ１６４において、携帯情報端末３２２の制御部３８２は、通信部３８１により受信された設定情報を記憶部３８３に記憶させる。具体的には、制御部３８２は、例えば、展示車３２１から、ステアリングとシート位置の設定情報が送信されてきた場合、それらの位置の設定情報を記憶部３８３に記憶させる。
【０２３８】
そして、例えば、後日、ユーザにより購入された、展示車３２１と同車種の車（被設定車３３１）の納車日となったとき、ステップＳ１７１において、被設定車３３１の入力部３６５は、ユーザによる所定の操作により、展示車３２１用の携帯情報端末３２２の認証情報の入力を受け付けて、その認証情報を利用者認証部３６１に供給する。これにより、展示車３２１用の携帯情報端末３２２を、被設定車３３１においても正当な携帯情報端末であると認証することが可能となる。また、ステップＳ１７２において、被設定車３３１の入力部３６５は、ユーザによる所定の操作により、被設定車３３１に対する設定情報の設定を許可する指示である設定許可を受け付ける。このとき、被設定車３３１のスマートエントリ制御装置３５１は、設定情報の設定を許可する設定モードにモードを遷移する。
【０２３９】
ステップＳ１７３において、被設定車３３１の通信部３６４は、認証情報要求を携帯情報端末３２２に送信し、被設定車３３１と携帯情報端末３２２とが通信可能な状態にある場合、ステップＳ１６５において、携帯情報端末３２２の通信部３８１は、被設定車３３１からの認証情報要求を受信する。ステップＳ１６６において、携帯情報端末３２２の制御部３８２は、通信部３８１により受信された認証情報要求に応じて、記憶部３８３から認証情報を取得し、その認証情報を、認証情報要求を送信してきた被設定車３３１に送信させる。
【０２４０】
ステップＳ１７４において、被設定車３３１の通信部３６４は、携帯情報端末３２２からの認証情報を受信し、その認証情報を利用者認証部３６１に供給する。
【０２４１】
ステップＳ１７５において、被設定車３３１の利用者認証部３６１は、ステップＳ１７１の処理によって、被設定車３３１に登録された携帯情報端末３２２の認証情報と、携帯情報端末３２２からの認証情報に基づいて、認証処理を行う。ステップＳ１７６において、被設定車３３１の通信部３６４は、認証の結果に基づいて、携帯情報端末３２２が正当であると判定された場合、携帯情報端末３２２が記憶している、展示車３２１の設定情報を取得するための設定情報要求を、携帯情報端末３２２に送信する。
【０２４２】
ステップＳ１６７において、携帯情報端末３２２の通信部３８１は、被設定車３３１からの設定情報要求を受信する。ステップＳ１６８において、携帯情報端末３２２の制御部３８２は、通信部３８１により受信された設定情報要求に応じて、記憶部３８３から設定情報を取得し、その設定情報を、設定情報要求を送信してきた被設定車３３１に送信させる。
【０２４３】
このとき、被設定車３３１に送信される設定情報は、例えば、被設定車３３１を購入したユーザの、展示車３２１に試乗したときのステアリングとシート位置の情報となる。
【０２４４】
ステップＳ１７７において、被設定車３３１の通信部３６４は、携帯情報端末３２２からの設定情報を受信し、その設定情報を個別設定制御部３６３に供給する。ステップＳ１７８において、被設定車３３１の個別設定制御部３６３は、携帯情報端末３２２から受信した設定情報に基づいて、被設定車３３１の対象装置３５３に対して、各種の設定を行う。
【０２４５】
具体的には、例えば、ショールーム３１１において、ユーザに対して、展示車３２１のステアリングとシートの位置の設定を行った場合、その設定情報には、ステアリングとシート位置の情報が含まれているので、個別設定制御部３６３は、そのステアリング位置の設定情報に基づいて、ステアリング位置制御装置３５３ｄを制御して、被設定車３３１と展示車３２１のステアリングの位置が、同じ位置になるようにその位置を制御する。また、個別設定制御部３６３は、そのシート位置の設定情報に基づいて、オートシート制御装置３５３ｅを制御して、被設定車３３１と展示車３２１のシートの位置が、同じ位置になるようにその位置を制御する。
【０２４６】
以上のように、展示車３２１に設定されている設定情報は、携帯情報端末３２２を介して、被設定装置３３１に設定される。
【０２４７】
このように、展示車３２１の特徴をよく知っているセールスマンが、展示車３２１に設定した内容をそのまま顧客の車（被設定車３３１）に反映させることができるので、車に詳しくない顧客であっても、車を購入した直後から様々な個別設定を使用することができる。その結果、顧客にはなんら負担をかけずに、それらの設定することができる。
【０２４８】
また、これらの設定情報においては、展示車３２１および被設定車３３１と、携帯情報端末３２２とが通信可能な位置関係にある場合にしか送受信を行わないので、所定のネットワークなどを介して通信を行う場合と比較して、ハッカーなどに手順を解析されて不正な操作をされたり、サーバに不正にアクセスされたりすることがないので、安全に、展示車３２１から被設定車３３１に転送させることができる。
【０２４９】
さらに、パーソナルコンピュータなどの他の機器を使用せず、例えば、展示車３２１と組み合わせて使用されていた、既存の携帯情報端末３２２を改良せずに、そのまま使用することができるので、上述した機能を、既存の機器に対して簡単に組み込むことができる。
【０２５０】
なお、上述した例においては、展示車３２１用の携帯情報端末を使用した例について説明したが、被設定車３３１用の携帯情報端末を用いるようにしてもよい。その場合、例えば、ステップＳ１７１において、被設定車３３１に対して、展示車３２１用の携帯情報端末３２２の認証情報を入力した代わりに、ステップＳ１５１の処理の前に、展示車３２１に対して、被設定車３３１用の携帯情報端末の認証情報を入力するようにすればよい。
【０２５１】
また、上述した例においては、展示車３２１および被設定車３３１において、参照モードや設定モードなどのモードを遷移させて、展示車３２１に設定されている設定情報を、携帯情報端末３２２を介して、被設定装置３３１に設定するとして説明したが、展示車３２１および被設定車３３１は、それらのモードを変更せずに、携帯情報端末３２２が、処理に応じて、自分のモードを参照モードや設定モードなどに変更するようにしてもよい。
【０２５２】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２５３】
図１７は、上述した一連の処理をプログラムにより実行するパーソナルコンピュータの構成の例を示すブロック図である。CPU４１１は、ROM（Read Only Memory）４１２、または記録部４１８に記録されているプログラムに従って各種の処理を実行する。RAM（Random Access Memory）４１３には、CPU４１１が実行するプログラムやデータなどが適宜記憶される。これらのCPU４１１、ROM４１２、およびRAM４１３は、バス４１４により相互に接続されている。
【０２５４】
CPU４１１にはまた、バス４１４を介して入出力インターフェース４１５が接続されている。入出力インターフェース４１５には、マイクロホンなどよりなる入力部４１６、ディスプレイ、スピーカなどよりなる出力部４１７が接続されている。CPU４１１は、入力部４１６から入力される指令に対応して各種の処理を実行する。そして、CPU４１１は、処理の結果を出力部４１７に出力する。
【０２５５】
入出力インターフェース４１５に接続されている記録部４１８は、例えばハードディスクからなり、CPU４１１が実行するプログラムや各種のデータを記録する。通信部４１９は、インターネットやローカルエリアネットワークなどのネットワークを介して外部の装置と通信する。
【０２５６】
また、通信部４１９を介してプログラムを取得し、記録部４１８に記録してもよい。
【０２５７】
入出力インターフェース４１５に接続されているドライブ４２０は、磁気ディスク、光ディスク、光磁気ディスク、或いは半導体メモリなどのリムーバブルメディア４２１が装着されたとき、それらを駆動し、そこに記録されているプログラムやデータなどを取得する。取得されたプログラムやデータは、必要に応じて記録部４１８に転送され、記録される。
【０２５８】
コンピュータにインストールされ、コンピュータによって実行可能な状態とされるプログラムを格納するプログラム記録媒体は、図１７に示すように、磁気ディスク（フレキシブルディスクを含む）、光ディスク（CD-ROM,DVDを含む）、光磁気ディスク、もしくは半導体メモリなどよりなるパッケージメディアであるリムーバブルメディア４２１、または、プログラムが一時的もしくは永続的に格納されるROM４１２や、記録部４１８を構成するハードディスクなどにより構成される。プログラム記録媒体へのプログラムの格納は、必要に応じてルータ、モデムなどのインターフェースである通信部４１９を介して、ローカルエリアネットワーク、インターネット、デジタル衛星放送といった、有線または無線の通信媒体を利用して行われる。
【０２５９】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２６０】
また、本明細書において、システムとは、複数の装置により構成される装置全体を表すものである。
【０２６１】
さらに、本発明の実施の形態は、上述した実施の形態に限定されるものではなく、本発明の要旨を逸脱しない範囲において種々の変更が可能である。
【図面の簡単な説明】
【０２６２】
【図１】本発明を適用した情報転送システムの一実施の形態を示すブロック図である。
【図２】本発明を適用した参照装置と情報移転装置の原理的構成を説明する図である。
【図３】本発明を適用した被設定装置と情報移転装置の原理的構成を説明する図である。
【図４】参照装置の機能的構成例を示すブロック図である。
【図５】情報移転装置の機能的構成例を示すブロック図である。
【図６】被設定装置の機能的構成例を示すブロック図である。
【図７】対象情報参照の処理について説明するフローチャートである。
【図８】対象情報転送の処理について説明するフローチャートである。
【図９】対象情報設定の処理について説明するフローチャートである。
【図１０】本発明を適用した展示車、携帯情報端末、および被設定車の原理的構成を説明する図である。
【図１１】展示車の機能的構成例を示すブロック図である。
【図１２】図１１の個別設定制御部の詳細を説明する図である。
【図１３】生体認証情報の例を示す図である。
【図１４】個人別利用情報の例を示す図である。
【図１５】携帯情報端末の機能的構成例を示すブロック図である。
【図１６】自動車の販売の処理について説明するフローチャートである。
【図１７】パーソナルコンピュータの構成を示すブロック図である。
【符号の説明】
【０２６３】
１  情報転送システム
１１  参照装置
１２  情報移転装置
１３  参照対象装置
１４  被設定装置
１５  設定対象装置
２１  転送対象情報指示部
２２  情報移転動作制御部
２３  モード制御部
２４  通信部
２５  認証制御部
２６  認証情報記憶部
２７  対象制御部
５１  通信部
５２  情報移転動作制御部
５３  認証情報記憶部
５４  対象情報記憶部
８１  認証情報入力部
８２  認証情報記憶部
８３  転送対象情報指示部
８４  情報移転動作制御部
８５  モード制御部
８６  通信部
８７  認証制御部
８８  対象制御部
３２１  展示車
３２２  携帯情報端末
３３１  被設定車
３５１  スマートエントリ制御装置
３５３  対象装置
３６１  利用者認証部
３６２  スマートエントリ制御部
３６３  個別設定制御部
３６４  通信部
３６５  入力部
３８１  通信部
３８２  制御部
３８３  記憶部
３８４  入力部
【図１】
2007226734.tif 000003
【図２】
2007226734.tif 000004
【図３】
2007226734.tif 000005
【図４】
2007226734.tif 000006
【図５】
2007226734.tif 000007
【図６】
2007226734.tif 000008
【図７】
2007226734.tif 000009
【図８】
2007226734.tif 000010
【図９】
2007226734.tif 000011
【図１０】
2007226734.tif 000012
【図１１】
2007226734.tif 000013
【図１２】
2007226734.tif 000014
【図１３】
2007226734.tif 000015
【図１４】
2007226734.tif 000016
【図１５】
2007226734.tif 000017
【図１６】
2007226734.tif 000018
【図１７】
2007226734.tif 000019